(57)【特許請求の範囲】
【請求項１】
電磁放射の発生のための放射ヘッドのための電極の組合せであって、
先端構成要素を有する陽極手段と、
中空部分を有する陰極手段
とを含む電極の組合せであり、
前記先端構成要素は、前記陽極手段と前記陰極手段の間に印加される予め定められたパルス電圧に応答して電磁放射を発生し、
前記電極の組合せはさらに、前記陰極手段を囲むトリガ電極を含み、前記陽極手段の前記先端構成要素、前記陰極手段、及び前記トリガ電極はそれぞれ予め定められた距離だけ互いに間隔を離して置かれている電極の組み合せ。
【請求項２】
前記陽極手段の前記先端構成要素は丸くなっている請求項１に記載の電極の組合せ。
【請求項３】
前記トリガ電極はトリガ通路を規定する周辺要素を含む請求項１に記載の電極の組合せ。
【請求項４】
前記陰極手段は、陰極手段を貫通して延びる陰極通路を規定する円筒形状の入力部と円錐台形状の出力部を含む請求項１に記載の電極の組合せ。
【請求項５】
前記陰極通路は縦軸線を有し、前記トリガ電極は、前記陰極手段の前記円柱形状の入力部を囲みトリガ通路を規定する周辺構成要素を含み、かつ、前記トリガ通路は、前記陰極通路の前記縦軸線と一致している軸線を有する請求項４に記載の電極の組合せ。
【請求項６】
前記トリガ電極は外側環状構成要素を含み、前記陰極手段は、陰極手段を貫通して延びる陰極通路を有する中空の陰極構成要素を含み、前記中空の陰極構成要素は、前記陰極通路の少なくとも一部分を規定する内側環状要素を含み、かつ、前記外側環状構成要素は前記内側環状要素と同軸に配置されている請求項１に記載の電極の組合せ。
【請求項７】
前記先端構成要素は、前記陰極通路とアラインメントされた少なくとも１つの先端要素を含む請求項４に記載の電極の組合せ。
【請求項８】
前記陰極手段は、小さな開口端部と大きな開口端部とを有する円錐台形状の通路を有し、前記円錐台形状の通路は、前記小さな開口と前記大きな開口とを貫通して通過する中央縦軸線を有し、前記先端構成要素は、前記小さな開口端部に面しておりかつ前記中央縦軸線とアラインメントされた軸線を有する、少なくとも１つの先端要素を含む請求項６に記載の電極の組合せ。
【請求項９】
予め定められた電磁放射の発生のための放射ヘッドであって、
放射発生チャンバと、
先端構成要素を有する陽極手段と、
陰極手段と、
前記陰極手段を囲むトリガ電極とを含み、
前記チャンバは、前記チャンバ内で発生される予め定められた放射に対して選択的に透過性である材料で形成されておりかつ前記予め定められた放射が前記放射ヘッドから中を通過して放出され得る放射透過窓を有し、前記陽極手段と前記陰極手段は前記チャンバ内に配置され、前記先端構成要素は、前記陽極手段と陰極手段の間に印加されるパルス電圧に応答して電磁放射の発生を促進することが可能な材料を含み、前記先端構成要素と前記陰極手段及び前記トリガ電極はそれぞれ予め定められた距離だけ互いに間隔を離して置かれている、予め定められた電磁放射の発生のための放射ヘッドにおいて、
前記放射ヘッドは、高電圧源によって供給される電気エネルギーを蓄積するためのコンデンサ手段を含み、前記コンデンサ手段は、前記陽極手段に対する接続のための端子電極を含み、前記陽極手段は、前記コンデンサ手段と一体であるように、前記コンデンサ手段の前記端子電極に直接に電気的に接続され、前記コンデンサ手段は前記放射発生チャンバ内に配置されていることを特徴とする、予め定められた電磁放射の発生のための放射ヘッド。
【請求項１０】
前記予め定められた放射はＸ線であり、前記チャンバは、前記チャンバ内で発生されるＸ線に対して選択的に透過性である材料で形成されておりかつ前記放射ヘッドからＸ線が中を通過して放出され得るＸ線透過窓を有する請求項９記載の放射ヘッド。
【請求項１１】
前記トリガ電極は前記陽極手段と前記陰極手段の間に配置されている請求項１０に記載の放射ヘッド。
【請求項１２】
前記トリガ電極はトリガ通路を規定する周辺要素を含む請求項１０に記載の放射ヘッド。
【請求項１３】
前記陰極手段は、中を通って延びる陰極通路を有する中空の陰極構成要素を含む請求項１０に記載の放射ヘッド。
【請求項１４】
前記陰極通路は縦軸線を有し、前記トリガ電極は、トリガ通路を規定する周辺要素を含み、前記トリガ通路は、前記陰極通路の前記縦軸線と一致している軸線を有する請求項１３に記載の放射ヘッド。
【請求項１５】
前記先端構成要素は、前記陰極通路とアラインメントされた少なくとも１つの先端要素を含む請求項１４に記載の放射ヘッド。
【請求項１６】
前記陰極手段は、小さな開口端部と大きな開口端部とを有する円錐台形状の通路を有し、前記円錐台形状の通路は、前記小さな開口と前記大きな開口との中を通過する中央縦軸線を有し、前記先端構成要素は、前記小さな開口端部に面しておりかつ前記中央軸線とアラインメントされた軸線を有する、少なくとも１つの先端要素を含む請求項１４に記載の放射ヘッド。
【請求項１７】
Ｘ線パルス発生装置システムであって、
請求項１０に記載の放射ヘッドと、
前記トリガ電極に電圧パルスを供給するトリガ電圧パルス手段であって、それによって前記コンデンサ手段内に蓄積された電気エネルギーが前記陽極手段と前記陰極手段の間で放出されるトリガ電圧パルス手段、とを含むＸ線パルス発生装置システム。
【請求項１８】
前記コンデンサ手段に高電圧を供給するための高電圧源を含む請求項１７に記載のＸ線パルス発生装置システム。
【発明の詳細な説明】
【０００１】
本発明は、電磁放射発生装置に関し、特にＸ線（パルス）発生装置に関する。電磁放射発生装置は、例えば、リソグラフィ、結晶学（crystallography）、Ｘ線撮影（radiography）のような、科学、産業および医療の分野または領域で使用されている。
【０００２】
公知のタイプの電磁放射発生装置は、比較的大型であり、かつ、その製造だけでなく維持と運転に関しても比較的高コストであり得る。これは、放射発生装置を商業用途に使用することを意図する場合に、特に該当する。
以下では、Ｘ線発生装置の単なる事例として個々の引例を取り上げるが、本発明はこれに限定されない。本発明は、例えば、紫外光発生装置を形成するために、すなわち、本明細書で説明するようなＸ線窓（X-ray window）の代わりに紫外光窓（ultra-violet window）を備えることによって、使用されてよい。
【０００３】
Ｘ線発生装置に関しては、例えば、シンクロトロンが、工業的環境におけるＸ線発生装置としての使用に関して知られている比較的大規模の公知の装置である。シンクロトロンは、リソグラフィ用に使用可能なマルチビームＸ線放射源であると評されてきた。
放電プラズマ源（discharge plasma source）が、マルチビーム方式に比較して相対的に小さなサイズでありかつ相対的に低コストであるＸ線用単一ビーム点源（single beam point source）の候補となる可能性があると示唆されてきた。比較的小型のプラズマベースのＸ線源が知られているが、例えばリソグラフィのような分野での工業用途に対しては開発レベルには依然として達していない。例えば、排気可能な放電チャンバと、陽極と、陰極と、放射出口ポートと、陽極と陰極との間に所望の電位を印加するための手段とを含む、このタイプのＸ線源が知られている。例えば、欧州特許明細書公開番号００３７９１７を参照されたい。これに関連して、陽極の先端が陰極内の通路と軸方向にアラインメントされた中空の陰極を使用する、このタイプの比較的小型のＸ線発生装置も公知である。中空の陰極の存在が、概ね収束したビームを生じさせる。例えば、英国で出版された、“X-ray spots emitted in a hollow cathode ns-discharge”, Plasma Sources Sci. Technol.5(1996) 70-77 IOP Publishing limitedを参照。
【０００４】
様々なトリガ構成と電子機器とが、例えば、ＤＥ  ８５１５２９、ＤＥ  ９３５２６２、米国特許第４２０１９２１号、ＤＥ  ９２１０４０、および、Ｗ．ＳＣＨＡＡＦＦＳ“Rotgenblitzohre zur Untersuchung von schnell ablaufenden Prozssen”MESSTECHNIK，vol.80，no.9，1972，pages 247-251，XP002117206に開示されている。
【０００５】
サブミクロンのリソグラフィで使用され得るＸ線発生装置のような放射発生装置を得ることが有利だろう。
特に、ナノメートル波長において最大強度を有する短い放射バーストを発生することが可能な、簡便な放射源を得ることが有利だろう。
本発明は、その一態様において、
電磁放射の発生のための放射ヘッド（radiation head）のための電極の組合せであって、
先端構成要素（tip end component）を有する陽極手段と、
陰極手段
とを含む電極の組合せにおいて、
この先端構成要素は、前記陽極手段と前記陰極手段の間に印加される予め定められたパルス電圧に応答して電磁放射の発生を促進することが可能な材料を含み、
前記電極の組合せはトリガ電極を含み、かつ、前記先端構成要素と前記陰極手段と前記トリガ電極はそれぞれの予め定められた距離（すなわち、間隙）だけ互いに間隔を離して置かれている改良を提供する。
【０００６】
本発明の別の態様によれば、本発明は、
予め定められた電磁放射の発生のための放射ヘッドであって、
放射発生チャンバと、
先端構成要素を有する陽極手段と、
陰極手段
とを含む放射ヘッドにおいて、
前記チャンバは、該チャンバ内で発生される予め定められた放射に対して選択的に透過性（preferentially transparent）である材料で形成されており、かつ前記予め定められた放射が前記放射ヘッドからその中を通過して放出され得る放射透過窓（radiation transmitting window）を有し、前記陽極手段と前記陰極手段は前記チャンバ内に配置されており、前記先端構成要素は、前記陽極手段と前記陰極手段の間に印加されるパルス電圧に応答して電磁放射の発生を促進することが可能な材料を含み、
前記放射ヘッドはトリガ電極を含み、かつ、前記先端構成要素と前記陰極手段と前記トリガ電極はそれぞれの予め定められた距離（例えば、間隙）だけ互いに間隔を離して置かれている改良を提供する。
【０００７】
本発明は、別の態様において、予め定められた電磁放射の発生のための放射ヘッドであって、
放射発生チャンバと、
先端構成要素を有する陽極手段と、
陰極手段と、
トリガ電極
とを含み、
前記チャンバは、前記チャンバ内で発生される予め定められた放射に対して選択的に透過性である材料で形成されておりかつ前記予め定められた放射が前記放射ヘッドから中を通過して放出され得る放射透過窓を有し、前記陽極手段と前記陰極手段は前記チャンバ内に配置されており、前記先端構成要素は、前記陽極と前記陰極の間に印加されるパルス電圧に応答して電磁放射の発生を促進することが可能な材料を含み、前記先端構成要素と前記陰極手段及び前記トリガ電極は別々の予め定められた距離だけ互いに間隔を離して置かれている、予め定められた電磁放射の発生のための放射ヘッドにおいて、
前記放射ヘッドは、高電圧源によって供給される電気エネルギーを蓄積するためのコンデンサ手段を含み、前記コンデンサ手段は、前記陽極手段に対する接続のための端子電極を含み、前記陽極手段は、前記コンデンサ手段と一体であるように、前記コンデンサ手段の前記端子電極に直接的に電気的に接続されていることを特徴とする、予め定められた電磁放射の発生のための放射ヘッドを提供する。
【０００８】
本発明によって、前部の端子電極は放射発生チャンバ内に配置されてもよい。本発明によって、コンデンサ手段は前記の放射発生チャンバ内に配置される。
陽極と陰極とトリガ電極との間の予め定められた間隙、および、陽極と陰極とトリガ電極との間の相対電圧は、所望の放射を考慮して適切な実験によって選択されてよい。いずれにしても、トリガ電極が陰極に近ければ近いほど、トリガ電極と陰極との間の電圧要求は低い、すなわち、トリガ電極が陰極に近ければ近いほど、トリガ電極にとって陽極と陰極との間の放電を促進することが容易になる。例えば、与えられた陰極と陽極の間の電圧差に対して、トリガ電極が陰極に近ければ近いほど、放電に関するトリガの効果がより確実であり、かつ、より安定している（consistent）ということが認められている。
【０００９】
したがって、例えば、トリガ電極は、陰極から、例えば、陰極通路から、５μｍから１ｍｍまでの距離に配置されてよく、トリガ電極と陰極との間の電圧差は、１ｋＶから１２ｋＶ、例えば７．５ｋＶから１０ｋＶの電圧範囲内であってよい。
陽極の先端構成要素は、１つまたはそれより多いステム部材（stem member）すなわちフィンガ部材（finger member）を含んでよい。ステム部材すなわちフィンガ部材は、少なくとも１つの先端要素（tip end element）を備えてよい。陽極を構成する材料の種類が、例えば、陽極によって放出されるＸ線放射のスペクトルを決定する。Ｘ線を得るためには、陽極の先端要素は、例えば、所望のＸ線ライン（X-ray line）（例えば、１．２ナノメートル以下、例えば、０．８ナノメートルから１．４ナノメートル）を生じさせることが可能な材料で形成され得る。この陽極先端要素の材料は、例えば、タングステン、アルミニウム、銅、タンタル、モリブデン等と、これらの合金であってよい。さらに、要望または必要に応じて、陽極は、適切な流体の循環を使用する冷却手段を備えてよい。米国特許第５，６５１，０４５号を参照されたい。
【００１０】
例えば銅、真鍮、銅／タングステン等のような材料が、陰極用の材料として、電子供給の容易性に基づいて選ばれてよい。
陰極手段が、例えば本明細書で説明しているような陰極通路を含む場合には、少なくとも１つの先端要素が陰極通路とアラインメントされてもよい。陰極通路が存在する場合には、陰極通路は縦軸線を有してよく、トリガ通路も存在する場合には、トリガ通路は、陰極通路の縦軸線と一致した軸線を有してよい。
【００１１】
放電器（discharger）すなわちトリガ電極は、コンデンサ内に蓄積された電気エネルギーの放出を促進することを可能にする。
本発明によって、トリガユニットが、陰極と、トリガ電極、及び所要または所望の高電圧（ＨＶ）パルスを供給することが可能な適切な電源とを含んでよい。非動作状態では、陰極とトリガ電極との間には電圧差は存在しない。一方、動作状態中すなわちトリガ状態中には、ＨＶパルスをトリガ電極に送るように電源がスイッチを経由して放電し、陰極とトリガ電極との間にスパークが生じるだろう。小さなスパークが陽極と陰極の間の放電スパークを点火させるだろう。
【００１２】
トリガ電極は、後述し、本明細書で具体例によって示されるように、陰極の周りに配置されてよく、例えば、陽極に対して陰極のいずれか一方の側に配置されてよい。本発明によって、トリガ電極は、陽極手段と陰極手段との間に配置されてよく、あるいはその代りに、トリガ電極は、陰極手段がトリガ電極と陰極との間に存在するように配置されてよい。必要に応じて、トリガ電極は陰極の一部分の周りに配置されてもよい。トリガ電極は、陽極手段のための先端要素（tip end element）のような先端要素を有してよいが、この代わりに、環状の通路を規定するように形成されてもよく、例えば、ループ状の規定を有してもよい。
【００１３】
トリガ電極は、放電を促進するその機能を留意すれば、任意の所望または所要の構成を有してよい。トリガ電極は、ステム要素すなわちフィンガ要素を含んでよい。一方、トリガ電極は、例えば、トリガ通路を規定する周辺要素を含んでよい。したがって、トリガ電極は、例えば、トリガ通路を規定するループ要素（loop element）をそのトリガ電極が有するループ状のトリガ電極であってよい。このループ要素は、完全なループであっても、１つまたはそれより多い中断箇所（break）を有してもよい。１つ以上の中断箇所を有する場合には、このループ要素は、湾曲しているかまたは直線状であってよくかつ当然のことながら互いに電気的に接続されている複数のループセグメントを含んでよい。したがって、このループ要素の構成は、例えば概ね円形であってよい。あるいは、そのかわりに、このループの形態は、多角形または長方形であってよい。あるいは、トリガ電極は、例えば、必要に応じて、トリガ通路に相当する環状の開口部を備えているプレートの形状をとってもよい。
【００１４】
陰極電極は、その機能が同様に電気放電を与えることであるということに留意すれば、任意の所望または所要の構成を有してよい。陰極手段は、陽極に対向している概ね連続した表面または面を有するプレート部材を含んでよい。他方、陰極手段は、例えば、その中を通って延びている陰極通路を有する中空の陰極構成要素を含んでよい。トリガ電極は、陰極通路に面している環状の通路を含んでよい。
【００１５】
特に、トリガ電極は、例えば、外側の環状構成要素を含んでもよく、かつ、陰極手段は、例えば、その中を通って延びている陰極通路を有する中空の陰極構成要素を含んでよい。この場合には、中空の陰極構成要素は、陰極通路の少なくとも一部分を規定する内側の環状要素を含んでもよく、かつ、トリガの外側環状構成要素は、陰極の内側の環状要素と同軸に配置されてよい。
【００１６】
本発明によって、陰極は、小さな開口端部と大きな開口端部とを有する円錐台形（frustoconical）状の通路を備えるか有してよい。この円錐台形状の通路は、小さな開口端部と大きな開口端部とを通過する中央縦軸線を有してもよく、かつ、陽極先端構成要素は、小さな開口端部に面しておりかつ前記の中央軸線とアラインメントされた軸線を有する、少なくとも１つの先端要素を含んでもよい。
【００１７】
本発明による放射発生チャンバ（radiation generation chamber）は、そのチャンバ内での放射の発生を促進するために適している任意の所望の（公知の）構成を有してよい。この放射発生チャンバは、例えば、排気可能な放射放電チャンバ（evacuatable radiation discharge chamber）であってよい。この放射発生チャンバは、真空を維持するための気密チャンバであってよい。この放射発生チャンバは、所望または所要の気体を封じ込めることができる気密チャンバであってよい。したがって、放射発生チャンバは、例えば、ステンレススチールまたはアルミニウムで形成されてよくかつ真空環境が中に確立されてよい外壁構成要素を有してよい。ポンプ手段が、その放射発生チャンバ内に真空を形成するために放射チャンバの内部に堅固に連通する。真空環境は高反復速度（high repitition rate）での放射の発生を促進する。必要に応じて、放出ヘッド（emitting head）が、例えば鉛で形成されてよい微細放射（fine radiation）（例えばＸ線）吸収エンベロープ（absorption envelope）に封入されてよい。
【００１８】
上述の定義の通りの放射ヘッドは、例えばＸ線のような所望の電磁放射の発生のために使用されてもよく、すなわち、Ｘ線放出ヘッドであってよい。この場合には、チャンバは、そのチャンバ内で発生されるＸ線に対して選択的に透過性である材料で作られており、かつこのような放射ヘッドからＸ線がその中を通過して放出されてよいＸ線透過窓（X-ray transmitting window）を有してよい。
【００１９】
したがって、本発明は、そのさらに別の態様において、放射（例えばＸ線）パルス発生装置システムを提供し、この放射パルス発生装置システムは、
上述の定義の通りの放射（例えばＸ線）放出ヘッドと、
高電圧源によって供給される電気エネルギーを蓄積するためのコンデンサ手段と、
コンデンサ手段内に蓄積されている電気エネルギーが前記陽極と前記陰極との間で放出されるように前記トリガ電極に電気パルスを供給するためのトリガ電圧パルス手段とを含む。
【００２０】
この放射（例えばＸ線）パルス発生装置システムは、単一のトリガ電圧パルスがトリガ電極に印加されるように構成されてよい。あるいは、その代りに、放射（例えばＸ線）パルス発生装置システムは、一連の周期的なトリガ電圧パルスがトリガ電極に印加されるように構成されてよい。後者の場合には、一連の放射パルスが所望または所要のサイクルレート（cycle rate）で生成されてもよい。
【００２１】
上述のように、放射発生チャンバは、所望の場合は、Ｘ線に対して選択的に透過性である材料で形成されたＸ線透過窓を有してよい。一方、例えば紫外放射のような、別のタイプの放射を得ることが望ましい場合には、上記チャンバ内で発生される他の所望の放射に対して選択的に透過性である材料で形成されておりかつ前記の放射ヘッドから所望の放射がその中を通過して放出されてよいＸ線透過窓が使用されてよい。
【００２２】
高電圧源によって供給される電気エネルギーを蓄積するためのコンデンサ手段は、所望または所要の放電／再充電サイクルを受けることが可能であり、例えば、所望または所要の放射パルスレートを得ることを促進することが可能である、任意の（適切な）公知のコンデンサを含んでよい。この１つまたは複数のコンデンサは、例えば１つまたは複数のディスクコンデンサ（disk capacitor）のような１つまたは複数の個別のコンデンサであってよい。コンデンサは、例えば、ＪｅｎｎｉｎｇｓまたはＣｏｍｅｔによって製造されている真空コンデンサ（model CFED-1000-25S）であってよい（Ｓｗｉｓｓによって製造された真空コンデンサ、Ｃｏｍｅｔ仕様書0-0529による注文設計または注文製作のもの）。
【００２３】
有利には、このコンデンサは、例えば、陽極手段に直結または実質的に直結されてよい。本明細書で述べているように、このコンデンサは、例えば、排気可能な放射放電チャンバ内に完全に収容されてよい。もし所望なら、このコンデンサは、陽極手段に（直接）電気的に接続されているそのコンデンサの端子電極も放電チャンバ（discharge chamber）内にあるように、その少なくとも一部分が上記の放電チャンバ内にあるように、配置されてよい。あるいは、その代りに、このコンデンサは、放電チャンバの外側に配置されてもよく、この場合には、陽極手段は放電チャンバの壁の一部分を規定してよく、かつ、端子コンデンサ電極（terminal capacitor electrode）が陽極手段に直接的に電気的に接続されてよい。両方の場合とも、その目的は、陽極とコンデンサを電気的に連接する電気コネクタの長さを最小限にすることである。コンデンサのこの配置が、非常に高い電圧（数ｋＶから１５０ｋＶ）の極めて高速の放電を得ることを可能にし、このパルスの持続時間は例えば１００ｎｓ  Ｆｕｌｌ  Ｗｉｄｔｈ  Ｈａｌｆ  Ｍａｘｉｍ（ＨＷＨＭ）未満であり、例えば、５０ｎｓ  ＨＷＨＭ未満である。
【００２４】
本発明によるＸ線パルス発生装置システムは、また高電圧源を含んでよい。この高電圧源は、例えば、トリガ電極に供給されるトリガ電気パルスレートまたはサイクルの関数として所望または所要の再充電速度（recharge rate）を提供することが可能である任意の（適切な）電圧源であってよい。この高電圧源は、定電圧の高電圧の供給源であってもパルスタイプの高電圧の供給源であってもよい。トリガ電圧パルスは、コンデンサの充電量が所望のレベルに達してから予め定められた時間間隔の後に、例えば所望の充電量に達した直後に、放出されてよい。この高電圧源は、例えば、所望の構成に応じて２ｋＶから１５０ｋＶを供給することが可能であり、かつ０．１Ｈｚから５００ｋＨｚの間で変る周波数で１つまたは複数のコンデンサを再充電することが可能である高電圧源であってよい。
【００２５】
トリガ電圧パルス手段は、コンデンサ手段の再充電速度と同期してトリガ電極に所望の電圧パルスサイクルを供給することが可能でなければならないということに留意すれば、任意の所望または所要の形態であってよい。このトリガパルス手段は、１つまたは複数の蓄電コンデンサ内に蓄積されている電力の放出を開始させるために、高電圧トリガパルスを供給するための手段を含む。トリガパルス手段は、例えば、０．１Ｈｚから５００ｋＨｚの間で動作することが可能なタイプであってよい。適したトリガパルス手段は、任意の適切な（公知の）仕方で相互接続されているＤＣ電源、スイッチ／リレー、コンデンサ、変圧器、ダイオード等を含んでよい。
【００２６】
陽極と陰極の間の予め定められた間隙が０．２ｍｍから１０ｍｍである場合には、陽極と陰極の間の電圧は、例えば２ｋＶから１５０ｋＶであってよい。
トリガ電極と陰極の間の予め定められた間隙が０ｍｍから１ｍｍかそれより大きく、例えば５μｍかそれより大きい場合には、トリガ電極と陰極の間の電圧は、例えば１ｋＶから１２ｋＶであってよい。
【００２７】
本発明による発生装置は、（パルスの長さに等しい）非常に短い時間にわたって、研究所および産業において一般的に使用されている従来の発生装置によって放出されるＸ線放射よりもはるかに高い強度のＸ線放射を放出することが可能であるように、構成されてよい。
以下では、添付図面に示されている非限定的な実施例に関連付けて、本発明をさらに詳細に説明する。
【００２８】
図１に示されているＸ線パルス発生装置システムは、放射ヘッド１と、トリガパルス電圧を供給するためのトリガパルスモジュール（すなわち、トリガ電圧パルス手段）と、陽極部と陰極部の間に高電圧を供給するための高電圧モジュールと、真空モジュールとを含む。放射ヘッド１は、本発明による電極の組合せを含む。この電極の組合せは、先端構成要素４を有する陽極２と、陰極６と、トリガ電極８とを含む。
【００２９】
Ｘ線パルス発生装置システムは、さらに、電極の組合せがその中に配置されている放射発生チャンバ、すなわち、その他の要素がその中に配置されている外側ハウジング１０（図３を参照されたい）を有する。２端子コンデンサ（two terminal capacitor）１２も放射チャンバ内に配置されている。陽極２は、コンデンサ１２の端子電極１４に直結されている。あるいは、所望の場合は、その代りに、コンデンサ１２は、端子電極１４がチャンバ壁１６の一部分を規定するように放射チャンバの壁１６から外に延びてもよい。
【００３０】
放射発生チャンバのチャンバ壁は、いずれにしても、薄い気密壁２０によって覆われた開口１８を備えており、開口１８と壁２０とがＸ線放射透過窓を規定する。壁２０は、生成されたＸ線に対して選択的に透過性である材料から形成されており、すなわち、この壁２０は、Ｘ線がそこを透過することを可能にするが他のタイプの放射に対しては不透過性（opaque）であるＸ線透過窓として作用する。この壁の材料は、例えば、１２．５ミクロン厚のベリリウム（Ｂｅ）であってよい。Ｘ線放射の放出を可能にするために陰極６がＸ線透過窓と陽極２の間に配置されるように、Ｘ線透過窓は陰極６に面している。この放射透過窓は、任意の適切な（公知の）仕方で所定の位置に保持されてよい。例えば、チャンバに真空封止されたアルミニウム円板によって提供される肩部上の所定の位置に、Ｂｅ円板が不透明な接着剤（opaque glue）で接着されてよい。
【００３１】
この放射チャンバは、高真空ポンプモジュール２２が作動される時に放射チャンバ内に所望または所要の真空を生じさせることが可能であるように、気密であるように構成されている。
示されている放出ヘッドは、陽極先端４を有する上述の陽極２と、通路２４を有する上述の陰極６とを備えており、すなわち、陰極６は中空の陰極であり、陽極と陰極は、放射ヘッド内に互いに対向するように配置されている。Ｘ線の形成をもたらす放電が陽極先端４と陰極６の間で生じる。
【００３２】
図２を参照すると、この図は、陰極部と陽極部を含む本発明によるＸ線発生モジュールの一例をさらに細部について概略的に示している。陽極部は、先端構成要素３２を有する陽極ナット３０を含む。この陽極ナット３０は、円板形状の端部部材３４に取り付けられたねじ機構である。トリガ電極は図２に示されていないが、図４と図５を参照されたい。陰極部は、中空円筒形状の端部陰極ホルダプレート部材（end cathode holder plate member）３６を含む。
【００３３】
端部陰極ホルダプレート部材３６は、端部が開口した中空形状の構成を有し、広い開口端部（mouth end）（参照番号３８で全体的に示されている）と、小さな開口端部（参照番号４０で全体的に示されている）とを備えている。
この小さな開口端部４０は、参照番号４４でその１つが示されているボルト部材によって端部陰極ホルダプレート部材３６に固定されている、端部が開口した中空の陰極構成要素４２によって覆われている。この端部が開口した中空の陰極構成要素４２は、そのモジュールの縦軸線４６と概ね同軸である通路を有する。陰極ハウジング部材５０も、参照番号５２でその１つが示されているボルト部材によって端部陰極ホルダプレート部材３６に取り付けられている。この陰極ハウジング部材５０は、そのモジュールの縦軸線４６と概ね同軸である窓開口（window opening）５４を備えている。この窓開口５４は、上述の通りのＸ線に対して選択的に透過性である材料（図示されていない）によって締め切られている。
【００３４】
Ｘ線発生モジュールは、さらに、２端子の蓄電コンデンサ６０も含む。例示したモジュールでは、陽極部は、コンデンサ６０の端子電極６２に直結されている。すなわち、蓄電コンデンサの端子は、一方では高電圧源に接続され、他方では陽極に（直接）接続されている。この蓄電コンデンサ６０の配置は、非常に高い電圧（ここで示す例では、数ｋＶから１５０ｋＶ）の極めて高速の放電を得ることを可能にし、このパルスの持続時間は５０ｎｓ未満である。
【００３５】
Ｘ線発生モジュールは、陽極先端構成要素と陰極部の間の間隔または距離（すなわち、間隙）の変更を容易にするように構成された例として、図２に例示されている。あるいは、この間隙は、当然のことながら、その代りに、固定された距離であってよい。ここで示されているＸ線発生モジュールは、様々な他の要素が取り付けられている３つの主要なプレート部材、すなわち、後部の円板形状の端部ベースプレート部材（end base plate member）６５と、中間のＹ字形状のプッシュプルプレート部材（push-pull plate member）６６、及び上述の中空円筒形状の端部陰極ホルダプレート部材３６とを含む。
【００３６】
Ｙ字形状プッシュプルプレート部材６６は、図２ａに輪郭の形で示されており、各々の隣り合う連結アーム（connector arm）７０の間の角度が概ね１２０度であるように中央ハブ７２から外方に延びる３つの連結アーム７０を有する。
Ｙ字形状プッシュプルプレート部材６６と端部陰極ホルダプレート部材３６は、移動ユニット（travelling unit）のベースを形成するように互いに概ね固定的にまたは堅固に取り付けられている。例えば、図２に示されるモジュールの例では、Ｙ字形状プッシュプルプレートの各連結アーム７０の末梢部端部（distal end）は、別々のプッシュプルスライドスペーサ連結棒（push pull sliding spacer connector rod）８０によって端部陰極ホルダプレート部材３６に脱着自在に固定されている。連結棒８０の各々は、ねじ山付きの雄の端部８２と、内側ねじ山付きの雌の開口端部８４とを有する。端部陰極ホルダプレート部材３６は、別々の連結棒８０の雄の端部８２に各々のねじが噛み合うねじ山付きの雌の開口を備えている。一方、Ｙ字形プッシュプルプレートの各連結アームの末梢部端部は、ボルト穴を備えている。各ボルト穴は、ボルトステムが各連結棒８０の雌のねじ山付き開口と係合して連結アーム７０をボルト頭部と連結棒８０との間で締めつけるように、個々のボルト８６の（ボルト頭部ではなく）ねじ山付きステムがその中を通過するのを可能にするのに充分な大きさである。
【００３７】
移動ユニットは、陽極先端構成要素と陰極部の間の間隙が必要に応じて調節できるように、任意の適切な（公知の）仕方で端部ベースプレート部材６５に移動自在に（displaceably）連結されてよい。この点で、図２に示されているモジュールは、中空円筒形状のコンデンサカップコネクタ（capacitor cup connector）９２によって端部ベースプレート部材６５に固定されているコンデンサカップホルダ（capacitor cup holder）９０を有する。コンデンサカップコネクタ９２は、別々のボルト部材によって端部ベースプレート部材６５とコンデンサカップホルダ９０との両方に固定されている。コンデンサカップコネクタ９０を端部ベースプレート部材６５に固定するボルト部材の１つは、参照番号９４によって示されており、一方、コンデンサカップコネクタ９２をコンデンサカップホルダ９０に固定するボルト部材の１つは、参照番号９６によって示されている。
【００３８】
コンデンサカップコネクタ９２は、Ｙ字形状のプッシュプルプレート部材６６の各々の連結アーム７０にスライド自在に係合するように形成されている３つの軸方向に延びるガイドスロットを備えている。ガイドスロットの１つは参照番号１００で示されている。各連結アームの末梢部端部は別々のガイドスロット１００から外に延びる。ガイドスロット１００の各々は、これらの末梢部端部が矢印１０２、１０４の方向に軸方向の移動の自由を有するように、別々の連結アーム７０の末梢部端部よりも軸方向において大きいサイズに作られている。こうした移動を生じさせるための手段は、任意の適切な（公知の）構成であってよく、例えば、ボルト１０７のようなボルトによってプレート部材６５に取り付けられている（公知の）直線移動コネクタ１０６を含んでよく、この直線移動コネクタは間隔調節ダイアル（dial）１０８に連結されている。
【００３９】
コンデンサカップホルダ９０の説明に戻ると、このホルダ９０はその中に配置された、端部が開口したコンデンサ絶縁体シリンダ１１０と２端子コンデンサ６０とを有する。コンデンサ絶縁体シリンダ１１０は、コンデンサカップホルダ９０の内壁表面とスライド自在に係合する。コンデンサ絶縁体シリンダ１１０の一方の端部は、円板形状の陽極プレート３４の半径方向の円周端（radial peripheral edge）よりも半径方向に大きい内側窪み部を備えている。コンデンサ６０は、コンデンサ絶縁体シリンダ１１０の内側表面壁内に配置されており、この内側表面壁とスライド自在に係合する。コンデンサ６０の一方の端部は、参照番号１１４によって１つが示されているボルト部材によって、コンデンサカップホルダ９０の床部分（floor）１１２に脱着自在に固定されている。コンデンサの他方の端部は、参照番号１１６によって１つが示されているボルト部材によって、陽極プレート３４に同様に脱着自在に固定されている。コンデンサ６０とコンデンサ絶縁体シリンダ１１０は、コンデンサ６０がコンデンサカップホルダ９０の床部分１１２に固定されておりかつ陽極プレート３４がコンデンサ６０にボルト止めされている時のように寸法形成され構成されている。図には示されていないが、陽極プレート３４は、コンデンサ絶縁体シリンダ１１０の内側の肩部から僅かな距離（例えば、１ｍｍ以下）だけ間隔をあけて離れている。
【００４０】
端部陰極ホルダプレート部材３６の大きい開口端部３８は、コンデンサカップホルダ９０の周囲側壁の陽極端部の一部分がその大きい開口端部３８の中に受け入れられるように、すなわち、移動ユニットが矢印１０２、１０４の方向に縦軸線４６に沿って動かされる（displaced）ことを可能にする間隙がその間に存在するように、寸法形成され構成されている。
【００４１】
しかし、図２ｂの詳細部分１２０から理解できるように、端部陰極ホルダプレート部材３６とコンデンサカップホルダ９０の間にもやはり電気的接続が備えられている。詳細図２ｂを参照すると、コンデンサカップホルダの陽極開口端部に隣接したコンデンサカップホルダの外側表面上に環状の溝が配置されている。電気コネクタリング１２５がこの環状の溝の中に置かれて配置されており、大きな開口端部３８の内側表面に対してスライド自在に接触することが可能であるように、かつ、コンデンサカップホルダ９０と陰極ホルダプレート部材３６の間の電気的ブリッジまたは接続を提供するように、寸法形成され構成されている。開口端部を有する中空の陰極構成要素４２から所望または所要の距離に先端構成要素３２を位置決めするために移動ユニットが縦軸線４６に沿って前後に動かされる時には、電気コネクタリング１２５の存在が、端部陰極ホルダプレート部材３６とコンデンサカップホルダ９０の間の電気接続を保つ。
【００４２】
後端部ベースプレート部材６５と、コンデンサカップコネクタ９２と、コンデンサカップホルダ９０と、電気コネクタリング１２５と、端部陰極ホルダプレート部材３６と、開口端部を有する中空の陰極構成要素４２、及び陰極ハウジング部材５０とは、これらが電気的に相互接続される（例えば、端部ベースプレート部材を接地させることによって、これらが互いに接地されてもよい）ように導電性の材料で形成されている。これらは同一の材料で形成されていても、互いに異なる材料で形成されていてもよい。
【００４３】
モジュールの陽極部に関しては、幾つか（例えば、１個から６個）の絶縁された高電圧ケーブルコネクタ部材が、コンデンサカップホルダ９０の床部分の中の開口と、コンデンサ絶縁体シリンダ１１０の周囲壁コネクタの中の開口のそれぞれを通過する。これらの絶縁高電圧ケーブルコネクタ部材の１つが参照番号１４０によって示されている。これらのケーブルコネクタ部材は、任意の適切な（公知の）仕方で、一方では陽極プレート３４に接続され、他方では、後端部ベースプレート部材６５に取り付けられている適切な高電圧コネクタ手段に電気的に接続されている。端部ベースプレートに対する接続は、気密でありかつ真空の発生を可能にするような接続である。後端部ベースプレート部材６５での連続した電気接続を可能にする相互接続のための一例としての細部１５０、１６０が図２ｃと図２ｄとに示されている。図２ｃは、ケーブルコネクタ部材１４０と陽極プレート３４の間の固定された接続を示す。すなわち、ケーブルコネクタ部材１４０は、ボルト１６５によって陽極プレート３４にボルト止めされている。一方、図２ｄは、ケーブルコネクタ部材１４０と後端部プレート部材６５の間のスライド自在の接続を示す。すなわち、後端部プレート部材に隣接したケーブルコネクタ部材１４０の端部は、ハウジング１７０（すなわち、絶縁スリーブ）内でスライド自在に係合し、適切な高電圧コネクタ手段１７７（図２を参照されたい）に電気的に接続されている摩擦スリップ（friction slip）電気コネクタ要素１７５と係合している内側の溝（channel）を有する。
【００４４】
図２に示されているＸ線発生モジュールは、外側ハウジングの内側表面にスライド自在に係合するための絶縁スライド係合手段（insulating sliding engagement means）を備えている。
このスライド係合手段は、参照番号２０２によって１つが示されている適切な埋込みボルトまたはねじによって所定の位置に保持される（スライディング）軸受カラー（bearing collar）２００を含む。この滑動係合手段は、さらに、個々の連結棒８０の周りに配置されているスライド棒シリンダ２０４を含んでもよい。
【００４５】
図３を参照すると、図２のモジュールは、開口端部を有する円筒形の放射ヘッドハウジング１０に中に配置されていてもよい。このモジュールが矢印２０８の方向にハウジングの中に動かされる時には、軸受カラー２００とスライド棒シリンダ２０４とがハウジング１０の内側表面とスライド自在に係合するだろう。後端部ベースプレート部材６５は、ハウジング１０の端部を締め切るための２つの脱着自在な端部キャッププレート（end cap plate）の１つとして機能してよい。したがって、後端部ベースプレート部材６５は、適切なボルト（図示されていない）のステムを受け入れるためのねじ山付き開口２１０を介して放射ヘッドハウジング（radiation head housing）に取り付けられてよい。他方の端部プレート２１５は、窓のハウジング５０に係合するための開口を有してよく、かつ、同様にボルト手段によって内側ねじ山付き開口２２０を介して放射ヘッドハウジング１０に取り付けられてよい。いずれの場合にも、端部キャッププレートは両方とも円筒形ハウジングの別々の端部と係合し、かつ、端部キャッププレートは、放射ヘッド内で真空が生じることを可能にするように気密様式に窓のハウジングに係合する。
【００４６】
トリガ電極は、小さな開口の一方側の方に幾らか陽極先端構成要素３２から離れて、トリガ座２４１の円筒形絶縁部材上にその周りに置かれている、閉ループ部材２４０を含む。この閉ループ部材２４０は、図に示すトリガ／陰極構成の例を組み込む放射ヘッド内に存在してよい真空状態を減じないように、端部陰極ホルダプレート部材の中を通る絶縁ケーブル２５０によってトリガパルスモジュール（図１を参照されたい）に連結されている。
【００４７】
図４と図５は、例えば図２に示されているモジュールと共に使用されてよい陽極／トリガ／陰極構成の例を概略的に示す。中空の陰極構成要素４２は、小さな開口から大きな開口へとその陰極構成要素の中を通って延びる、参照番号２３０によって全体にわたって示されている陰極通路を有する。図に示す例の陽極先端構成要素３２は、陰極通路と概ねアラインメントされた形で示されている、すなわち、それは、Ｘ線発生モジュールの縦軸線４６と概ね同軸である。小さな開口（すなわち、小さな開口端部）に隣接した陰極通路の一部分は、一定断面の中空円筒の形状を有し、一方、大きな開口で終端する陰極通路の残り部分は、円錐台状の形状を有し、その断面の直径は、小さな開口端部から大きい開口端部へと大きくなる。円筒形の絶縁部材２３５（例えば、セラミック部材）が小さな開口端部の周りに配置されており、かつ、この小さな開口端部と係合する。
【００４８】
トリガ電極は、小さな開口の一方側の方に幾らか陽極先端構成要素３２から離れて、トリガ座２４１内の円筒形絶縁部材上で、かつこの周りに置かれている、閉ループ部材２４０を含む。この閉ループ部材２４０は、図に示すトリガ／陰極構成の例を組み込む放射ヘッド内に存在してよい真空状態を減じないように、端部陰極ホルダプレート部材の中を通る絶縁ケーブル２５０によってトリガパルスモジュール（図１を参照されたい）に連結されている。
【００４９】
小さな開口と陽極先端構成要素３２の間の間隙すなわち距離２５５は、例えば、２ｋＶから１５０ｋＶの間のそこの電圧差に対して、０．２ｍｍから１０ｍｍまでであってよい。
陰極とトリガ電極の間の間隙すなわち距離２６０は、例えば、１ｋＶから１２ｋＶの間のそこの電圧に対して、０ｍｍより僅かに大きい距離から１ｍｍまでであってよい。
【００５０】
図６から図１１は、陽極／トリガ／陰極構成のさらに別の例を概略的に示す。
図６を参照すると、図４と図５に示されている構成の場合のように、中空陰極構成要素４２は、小さな開口から大きな開口の通路へと中空陰極構成要素の中を通って延びる陰極通路を有する。しかし、小さな開口端部は、断面が一定である部分を持たない。さらに、閉ループ要素は中空陰極構成要素の小さな開口と概ねアラインメントされている。
【００５１】
図７は、閉ループを有する代わりに、円形のナイフエッジ開口を有するトリガプレート２７０を含むトリガ電極の構成を示す。このプレートは、プレート２７０と陰極４２の間の距離を調整するために任意の適切な（公知の）仕方で調整可能であるように構成されてよい。
図８は、閉ループを有する代わりに、陰極からテフロンワッシャー２７７によって隔てられている冷トリガ電極（cold trigger electrode）プレート２７５の間のセラミック表面放電によってトリガすることを利用するトリガ電極構成を示す。
【００５２】
図９は、閉ループを有する代わりに、冷トリガ電極と、小さな陰極開口の背後に配置されている被加熱フィラメント２８０とによってトリガすることを利用する別のトリガ電極構成を示す。
図１０は、小さな陰極開口の背後に配置されているトリガ／加熱電極２８５を含んでトリガすることを利用する別のトリガ電極構成を示す。
【００５３】
図１１は、図１に示されているようなＸ線パルス発生装置システムの実現可能な代案のＸ線パルス発生装置システム３００を概略的に示す。要素がこれら２つの変形で共通である限りは、同一の参照番号が使用される。図１と図１１の間の主な相違点は、同軸の真空コンデンサの代わりに直線真空コンデンサ（straight vacuum capacitor）３１０が使用されているということである。陽極と陰極の間の間隙の調整は、図１の場合のような陰極の移動の代わりに、陽極の移動によってでよい。これまで述べた任意のトリガ構成をこの代案の構成で使用することが可能である。
【００５４】
図１２は、図１と図１１のトリガパルスモジュールのための回路の一例を示す。図１３は、図１と図１１の高電圧モジュールのための回路の一例を示す。これらの回路の部品の例を次の表１に示す。
【００５５】
【表１】
0004928667.tif 000002
【００５６】
【表２】
0004928667.tif 000003
【００５７】
図１４は、陽極と陰極の間の蓄電コンデンサの関連する充電（relative charge）と放電に関する電圧対時間のグラフである。図１５は、トリガ電極と陰極の間のトリガ電圧パルスに関する電圧対時間のグラフである。これらの図は、さらに、トリガパルスと蓄電コンデンサの放電との関係も示している。
陽極先端構成要素を冷却するための手段を有することは有利であり得る。図１６から図１９は、陽極先端構成要素を冷却するための機構の一例を概略的に示している。これらの図から分るように、陽極先端構成要素３６０は、外側毛細管（capillary tube）３６２と内側毛細管３６３を含む。毛細管３６２、３６３の壁が入口通路３７０と出口通路３７２を規定する。陽極先端構成要素の作用端部（working end）が、流路フランジ（channel flange）プレート３６５とカバープレート３６６及びタングステン面板３６８とを含む被覆部材（capping member）によって被覆されている。これらのプレートは、その目的、すなわち、使用中にタングステン面板を冷却することを提供するということに留意すれば、任意の適切な（公知の）仕方で互いに取り付けられてよい。
【００５８】
図１７と図１８から分るように、流路フランジプレート３６５は、毛細管３６２、３６３の入口側と出口側の間の流体連通を可能にする一連の流路を備えている。流路フランジプレート３６５の上面図である図１７と、図１８とを参照すると、流路フランジプレート３６５は、番号３７５、３７６でそれぞれに示されている流体入口と流体出口を有する。入口と出口は、その１つが参照番号３７９によって示されている中間流路部材によって相互連結されている。図１８を参照すると、この図から理解できるように、例えば水のような冷却液が、入口通路３７０から矢印３８０の方向に出口３７６上の中間流路部材３７９に進み、出口通路３７２に達する。
【００５９】
図１９は、陽極ナット３８５に取り付けられている、図１６から図１８に示されている通りの冷却可能な陽極先端構成要素３６２を概略的に示す。陽極ナット３８５は、陽極先端構成要素３６２の入口通路３７２に冷却液を送り込むための流路部材３８７と、陽極先端構成要素３６２の出口通路から使用済みの冷却液を取り除き排出するための流路部材３８８とを備えている。
【図面の簡単な説明】
【図１】  本発明によるＸ線発生装置システムの概略図である。
【図２】  本発明によるＸ線発生装置モジュールの概略図である。
【図２ａ】  図２に示されているＹ字形のプッシュプル部材の概略図である。
【図２ｂ】  図２に示されている陰極へのコンデンサカップの接続の細部の概略図である。
【図２ｃ】  図２に示されている陽極プレートへの高電圧ケーブルの接続の細部の概略図である。
【図２ｄ】  図２に示されている高電圧コネクタへの高電圧ケーブルの接続の細部の概略図である。
【図３】  排気可能なハウジング内に取り付ける過程における、図２のＸ線発生装置モジュールの概略図である。
【図４】  本発明の陽極／トリガ／陰極構成の一例の概略図である。
【図５】  図４に示されている陽極／トリガ／陰極構成の拡大概略図である。
【図６】  本発明の陽極／トリガ／陰極構成の別の例の概略図（その１）である。
【図７】  本発明の陽極／トリガ／陰極構成のさらに別の例の概略図（その２）である。
【図８】  本発明の陽極／トリガ／陰極構成のさらに別の例の概略図（その３）である。
【図９】  本発明の陽極／トリガ／陰極構成のさらに別の例の概略図（その４）である。
【図１０】  本発明の陽極／トリガ／陰極構成のさらに別の例の概略図（その５）である。
【図１１】  本発明によるＸ線発生装置システムの別の例の概略図である。
【図１２】  トリガパルスモジュールのための回路の一例を概略的に示す図である。
【図１３】  高電圧モジュールのための回路の一例を概略的に示す図である。
【図１４】  コンデンサの充電／再充電とトリガパルス電圧とに関する電圧対時間のグラフを示す図である。
【図１５】  トリガパルス電圧に関する電圧対時間のグラフを示す図である。
【図１６】  液体冷却可能な陽極先端構成要素の概略図である。
【図１７】  図１６に示されている陽極先端構成要素のための流路フランジプレートの概略図である。
【図１８】  図１７に示されている流路フランジプレートの線１７−１７に沿った断面の概略図である。
【図１９】  陽極ナット部材に取り付けられている図１６の冷却可能な陽極先端構成要素の概略図である。
【図１】
0004928667.tif 000004
【図２】
0004928667.tif 000005
【図２ａ】
0004928667.tif 000006
【図２ｂ】
0004928667.tif 000007
【図２ｃ】
0004928667.tif 000008
【図２ｄ】
0004928667.tif 000009
【図３】
0004928667.tif 000010
【図４】
0004928667.tif 000011
【図５】
0004928667.tif 000012
【図６】
0004928667.tif 000013
【図７】
0004928667.tif 000014
【図８】
0004928667.tif 000015
【図９】
0004928667.tif 000016
【図１０】
0004928667.tif 000017
【図１１】
0004928667.tif 000018
【図１２】
0004928667.tif 000019
【図１４】
0004928667.tif 000020
【図１５】
0004928667.tif 000021
【図１３】
0004928667.tif 000022
【図１６】
0004928667.tif 000023
【図１７】
0004928667.tif 000024
【図１８】
0004928667.tif 000025
【図１９】
0004928667.tif 000026